(57)【特許請求の範囲】
【請求項１】
無端状の移動手すりと、
前記移動手すりによって覆われる縁部を有し前記移動手すりの内周側に配置された欄干パネルと、
前記欄干パネルの厚さ方向と直交し前記縁部から前記移動手すりに向かう第１の方向に開放された凹部がそれぞれに設けられ、前記厚さ方向で互いの間に前記縁部が位置し、前記移動手すりをガイドする一対の側部と、前記第１の方向から前記縁部を覆うとともに前記一対の側部を接続した接続部とを有し、前記欄干パネルに固定された欄干フレームと、
前記欄干パネルに対し前記厚さ方向の一方側に位置した照明装置と、
前記一対の側部のうちの一方であって前記一方側に位置した前記側部に前記照明装置を固定した固定部と、
を備え、
前記固定部は、
前記一方の側部の前記凹部に収容されたナットと、
前記ナットとによって前記照明装置を前記一方の側部に固定したボルトと、
前記ボルトとは別であり、前記一方の側部に対する前記ナットの回り止めを行なう回り止め部と、
を有した、乗客コンベア。
【請求項２】
前記側部は、
前記厚さ方向に互いに離間した一対の側壁と、
前記一対の側壁のそれぞれの前記第１の方向の反対の第２の方向の端部を接続し、前記一対の側壁とによって前記凹部を形成した接続壁と、
を有し、
前記照明装置は、前記一方の側部の前記接続壁の前記第２の方向側に位置し、
前記ボルトは、
前記一方の側部の前記接続壁における前記第２の方向側に位置した頭部と、
前記頭部から前記第１の方向に延び前記一方の側部の前記接続壁を貫通し前記ナットと結合された軸部と、
を有した、請求項１に記載の乗客コンベア。
【請求項３】
前記回り止め部は、前記ナットに設けられ前記一方の側部の前記接続壁を挟んだ一対の挟み部を有した、請求項２に記載の乗客コンベア。
【請求項４】
前記照明装置は、前記一方の側部の前記接続壁の前記第２の方向側に位置し当該接続壁と前記頭部とに挟まれた取付壁と、前記取付壁における前記欄干パネルとは反対側の端部から前記第１の方向に突出し前記一方の側部と前記取付壁との間の前記挟み部を覆った突出部とを有した、請求項３に記載の乗客コンベア。
【請求項５】
前記回り止め部は、前記ナットが固定され前記一方の側部の前記接続壁に重ねられた第１の部分と、前記第１の部分から前記第１の方向に延び前記一方の側部の前記側壁に重ねられた第２の部分とを有した、請求項２に記載の乗客コンベア。
【請求項６】
前記頭部の厚さは、前記接続壁の厚さよりも薄い、請求項２〜５のうちいずれか一つに記載の乗客コンベア。
【発明の詳細な説明】
【技術分野】
【０００１】
本発明の実施形態は、乗客コンベアに関する。
【背景技術】
【０００２】
従来、無端状に連結された複数の踏段の両側に透光性の欄干パネルを有する乗客コンベアでは、例えば欄干パネルを照明する照明装置が欄干フレームに取り付けられることがある。
【先行技術文献】
【特許文献】
【０００３】
【特許文献１】特許第５８８９１７３号公報
【特許文献２】特許第６２０８５７１号公報
【特許文献３】特開２０１９−１２３５８４号公報
【特許文献４】特許第６３７７３０６号公報
【発明の概要】
【発明が解決しようとする課題】
【０００４】
この種の乗客コンベアの欄干フレームとして、凹部がそれぞれに設けられ、それぞれの間に照明パネルの縁部が位置し移動手すりをガイドする一対の側部と、一対の側部を接続した接続部とを有した欄干パネルが知られている。この種の欄干フレームに対する照明装置の取り付け作業や取り外し作業がしやすい乗客コンベアが得られれば有益である。
【課題を解決するための手段】
【０００５】
実施形態の乗客コンベアは、移動手すりと、欄干パネルと、欄干フレームと、照明装置と、固定部とを備える。前記移動手すりは、無端状である。前記欄干パネルは、前記移動手すりによって覆われる縁部を有し前記移動手すりの内周側に配置されている。前記欄干フレームは、前記欄干パネルの厚さ方向と直交し前記縁部から前記移動手すりに向かう第１の方向に開放された凹部がそれぞれに設けられ、前記厚さ方向で互いの間に前記縁部が位置し、前記移動手すりをガイドする一対の側部と、前記第１の方向から前記縁部を覆うとともに前記一対の側部を接続した接続部とを有し、前記欄干パネルに固定されている。前記照明装置は、前記欄干パネルに対し前記厚さ方向の一方側に位置している。前記固定部は、前記一対の側部のうちの一方であって前記一方側に位置した前記側部に前記照明装置を固定している。前記固定部は、前記一方の側部の前記凹部に収容されたナットと、前記ナットとによって前記照明装置を前記一方の側部に固定したボルトと、前記ボルトとは別であり、前記一方の側部に対する前記ナットの回り止めを行なう回り止め部とを有する。
【図面の簡単な説明】
【０００６】
【図１】図１は、第１の実施形態の乗客コンベアの概略構成を示す図である。
【図２】図２は、図１のII-II断面図である。
【図３】図３は、第２の実施形態の乗客コンベアの断面図である。
【図４】図４は、第２の実施形態の乗客コンベアにおける回り止め部を示す図である。
【発明を実施するための形態】
【０００７】
以下に添付図面を参照して、実施形態にかかる乗客コンベアを詳細に説明する。なお、この実施形態により本発明が限定されるものではない。
【０００８】
（第１の実施形態）
実施形態にかかる乗客コンベアは、例えばエスカレータまたは動く歩道であり、無端状に連結された複数の踏段の両側に透光性の欄干パネルを有する。透光性の欄干パネルは、優雅で審美的に楽しませる外観を有するなど、意匠性を有する。乗客コンベアでは、その意匠性を向上するために、欄干パネルを照明することがある。
【０００９】
図１は、乗客コンベア１の概略構成を示す図である。例えば、乗客コンベア１は、図１に示すように構成され得る。
【００１０】
乗客コンベア１は、例えばエスカレータまたは動く歩道である。乗客コンベア１は、構造フレーム２の内部に、駆動輪６と従動輪７との間で無端状に連結された複数の踏段５を有する。乗客コンベア１は、駆動輪６に減速機１１および駆動チェーン９を介して電動機８から供給される動力により、複数の踏段５が駆動輪６と従動輪７との間を周回移動するよう構成される。また、乗客コンベア１では、踏段５の側方に透光性の欄干パネル３が配される。複数の踏段５の進行方向の両脇には、複数枚の欄干パネル３を連ねて構成される欄干パネル群が配されている。乗客コンベア１は、欄干パネル群の外周に沿って環状に取り付けられた無端状の移動手すり４を有し、移動手すり４における欄干パネル群の上側に位置する部分が乗客により把持されるべき欄干２７として機能する。欄干パネル３には、例えば、透光性を有する強化ガラス、または、透光性を有する強化プラスチックが用いられ得る。乗客コンベア１は、踏段５の移動に合わせて移動手すり４も踏段５と同方向に周回移動するよう構成されている。すなわち、移動手すり４の移動方向Ｄ３（進行方向）は、踏段の移動方向（進行方向）と同じである。
【００１１】
図２は、図１のII-II断面図である。図２に示されるように、欄干パネルの縁部３ｄには、移動手すり４を移動可能に支持した欄干フレーム３０と、欄干パネル３等を照明する照明装置４０と、照明装置４０を欄干フレーム３０に固定した固定部５０と、が取り付けられている。
【００１２】
欄干パネル３は、移動手すり４の内周側に配置されて、構造フレーム２に固定されている。欄干パネル３は、当該欄干パネル３の厚さ方向Ｄ４の側面３ａ，３ｂと、縁面３ｃとを有する。以後、欄干パネル３の厚さ方向Ｄ４を単に厚さ方向Ｄ４と称する場合がある。側面３ｂは、踏段５側の面である。縁面３ｃは、側面３ａと側面３ｂとに亘って設けられている。縁面３ｃと、側面３ａ，３ｂにおける移動手すり４側の端部とが、欄干パネル３の縁部３ｄを構成する。縁部３ｄは、移動手すり４によって覆われている。以後、欄干パネル３の厚さ方向Ｄ４および移動手すり４の移動方向Ｄ３と直交し縁部３ｄから移動手すり４に向かう方向を第１の方向Ｄ１と称し、第１の方向Ｄ１の反対方向を第２の方向Ｄ２と称する。第１の方向Ｄ１は、縁面３ｃが向く方向でもある。
【００１３】
欄干フレーム３０は、欄干パネル３の縁部３ｄに固定部６０を介して固定されている。欄干フレーム３０は、移動手すり４に沿って無端状に構成されている。欄干フレーム３０は、一対の側部３２Ａ，３２Ｂと、接続部３１とを有している。
【００１４】
厚さ方向Ｄ４で一対の側部３２Ａ，３２Ｂの間に縁部３ｄが配置されている。一対の側部３２Ａ，３２Ｂは、移動手すり４をガイドする。
【００１５】
一対の側部３２Ａ，３２Ｂは、それぞれ、一対の側壁３２ａ，３２ｂと、接続壁３２ｃと、ガイド部３２ｄとを有する。一対の側部３２Ａ，３２Ｂは、欄干パネル３の厚さ方向Ｄ４の中心を通り厚さ方向Ｄ４と直交する平面に関して面対称である。
【００１６】
一対の側壁３２ａ，３２ｂは、厚さ方向Ｄ４に互いに離間している。側壁３２ａにおける欄干パネル３とは反対側に側壁３２ｂが位置している。
【００１７】
接続壁３２ｃは、第１の方向Ｄ１から縁部３ｄを覆うとともに一対の側部３２Ａ，３２Ｂを接続している。詳細には、接続壁３２ｃは、一対の側壁３２ａ，３２ｂのそれぞれの第２の方向Ｄ２の端部３２ａａ，３２ｂａを接続している。
【００１８】
また、一対の側部３２Ａ，３２Ｂには、それぞれ、第１の方向Ｄ１に開放された凹部３２ｅが設けられている。凹部３２ｅは、一対の側壁３２ａ，３２ｂおよび接続壁３２ｃによって形成されている。換言すると、一対の側壁３２ａ，３２ｂおよび接続壁３２ｃは、凹部３２ｅに面している。凹部３２ｅは、室や空間とも称される。
【００１９】
照明装置４０は、複数設けられている。なお、図２では、一つの照明装置４０だけが示されている。複数の照明装置４０は、移動手すり４の移動方向Ｄ３（進行方向）に互いに間隔を空けて配置されている。一例として、照明装置４０は、デッキカバー１０の外部に位置する欄干フレーム３０に設けられている。ここで、欄干フレーム３０において、移動手すり４の一対の折り返し部４ａ，４ｂ（図１）を支持する折り返し部（不図示）には、移動手すり４を支持するローラ（不図示）が設けられている。照明装置４０は、欄干フレーム３０の折り返し部に設けられた照明装置４０は、上記ローラから離間して配置されている。
【００２０】
照明装置４０は、欄干パネル３に対し厚さ方向Ｄ４の一方側（図２では、側面３ａ側）に位置している。また、照明装置４０は、一方の側部３２Ａの接続壁３２ｃの第２の方向Ｄ２側に位置している。
【００２１】
照明装置４０は、光源４１と、ケース４２と、カバー４３とを有する。光源４１は、例えば、ＬＥＤ（Ｌｉｇｈｔ  Ｅｍｉｓｓｉｏｎ  Ｄｉｏｄｅ）、ＬＤ（Ｌａｓｅｒ  Ｄｉｏｄｅ）等である。なお、光源４１は、上記に限定されない。光源４１は、電源（不図示）から供給される電力によって発光する。
【００２２】
ケース４２は、光源４１を収容するとともに光源４１を支持している。ケース４２は、例えば合成1樹脂材料によって構成されている。ケース４２は、固定部５０によって、欄干フレーム３０の一方の側部３２Ａの接続壁３２ｃに固定されている。これにより、照明装置４０が欄干フレーム３０に固定されている。
【００２３】
また、ケース４２は、欄干フレーム３０の一方の側部３２Ａの接続壁３２ｃの第２の方向Ｄ２側に位置した取付壁４２ａと、取付壁４２ａにおける欄干パネル３とは反対側の端部４２ａａから第１の方向Ｄ１に突出した突出部４２ｂとを有している。また、ケース４２は、当該ケース４２における第２の方向Ｄ２の端部の内側に、係合部４２ｃを有している。係合部４２ｃは、凹凸形状に形成されている。
【００２４】
カバー４３は、光源４１の光の出射側から光源４１を覆った状態で、ケース４２に着脱可能に固定されている。カバー４３は、カバー本体４３ａと、係合部４３ｂとを有する。係合部４３ｂは、カバー本体４３ａにおける第１の方向Ｄ１の両端部に設けられ、凹凸形状に形成されている。係合部４３ｂは、ケース４２の係合部４２ｃにケース４２の内側から係脱可能に係合している。各係合部４２ｃ，４３ｂの凸部は、爪とも称される。また、係合部４３ｂにおける第１の方向Ｄ１の端部に、光源４１に設けられた被支持部４１ａが重ねられており、係合部４３ｂは、光源４１を第２の方向Ｄ２から支持している。また、カバー４３は、透光性を有する。光源４１から出射された光は、カバー本体４３ａを通って欄干パネル３等に照射される。
【００２５】
固定部５０は、欄干フレーム３０の一方の側部３２Ａに照明装置４０を固定している。固定部５０は、照明装置４０ごとに設けられている。すなわち、固定部５０は、複数設けられている。固定部５０は、ナット５１と、ナット５１と結合されたボルト５２と、ボルト５２とは別の回り止め部５４とを有する。
【００２６】
ナット５１は、一方の側部３２Ａの凹部３２ｅに収容されている。本実施形態ではナット５１の一部が凹部３２ｅに収容されている。ナット５１は、少なくとも一部が凹部３２ｅに収容されていればよい。
【００２７】
ナット５１は、例えば、ポップナットである。ナット５１は、雌ネジが形成された筒部５１ａと、一対の挟み部５１ｂ，５１ｃとを有する。一対の挟み部５１ｂ，５１ｃは、筒部５１ａから張り出したフランジ部である。挟み部５１ｂは、凹部３２ｅの内部に位置し、挟み部５１ｃは、凹部３２ｅの外部に位置している。一対の挟み部５１ｂ，５１ｃは、一方の側部３２Ａの接続壁３２ｃを挟んだ状態で、ナット５１を接続壁３２ｃに固定している。すなわち、一対の挟み部５１ｂ，５１ｃは、一方の側部３２Ａに対するナット５１の回り止めを行なっている。一対の挟み部５１ｂ，５１ｃは、回り止め部５４を構成している。
【００２８】
ボルト５２は、ナット５１とによって照明装置４０を一方の側部３２Ａに固定している。ボルト５２は、頭部５２ａと、雄ネジが形成された軸部５２ｂとを有する。頭部５２ａは、凹部３２ｅの外部に位置している。詳細には、頭部５２ａは、一方の側部３２Ａの接続壁３２ｃにおける第２の方向Ｄ２側であって照明装置４０の取付壁４２ａの第２の方向Ｄ２側に位置して、照明装置４０のケース４２に収容されている。軸部５２ｂは、頭部５２ａから第１の方向Ｄ１に延び一方の側部３２Ａの接続壁３２ｃを貫通しナット５１と結合されている。具体的には、軸部５２ｂは、取付壁４２ａに設けられた貫通孔と接続壁３２ｃに設けられた貫通孔とに挿入されている。頭部５２ａと挟み部５１ｃとが取付壁４２ａを挟んでいる。
【００２９】
また、頭部５２ａの厚さ（第１の方向Ｄ１の厚さ）は、接続壁３２ｃの厚さ（第１の方向Ｄ１）の厚さよりも薄い。
【００３０】
また、ケース４２の突出部４２ｂは、一方の側部３２Ａの接続壁３２ｃとケース４２の取付壁４２ａとの間の挟み部５１ｃを厚さ方向Ｄ４の一方側から覆っている。
【００３１】
上記構成の乗客コンベア１の組み立てにおいては、ナット５１にボルト５２が結合される前に、ナット５１が回り止め部５４によって接続壁３２ｃに固定されている。したがって、照明装置４０を欄干フレーム３０に取り付ける取付け方法において、ボルト５２をナット５１に結合させる際に、ナット５１の回転が阻止される。また、照明装置４０の取り外し（取り外し方法）の際も、ボルト５２をナット５１に結合させる際に、ナット５１の回転が阻止される。
【００３２】
以上のように、本実施形態では、乗客コンベア１は、移動手すり４と、欄干パネル３と、欄干フレーム３０と、照明装置４０と、固定部５０とを備える。移動手すり４は、無端状である。欄干パネル３は、移動手すり４によって覆われる縁部３ｄを有し移動手すり４の内周側に配置されている。欄干フレーム３０は、一対の側部３２Ａ，３２Ｂと、接続部３１とを有し、欄干パネル３に固定されている。一対の側部３２Ａ，３２Ｂは、欄干パネル３の厚さ方向Ｄ４と直交し縁部３ｄから移動手すり４に向かう第１の方向Ｄ１に開放された凹部３２ｅがそれぞれに設けられ、厚さ方向Ｄ４で互いの間に前記縁部３ｄが位置し、移動手すり４をガイドする。接続部３１は、第１の方向Ｄ１から縁部３ｄを覆うとともに一対の側部３２Ａ，３２Ｂを接続している。照明装置４０は、欄干パネル３に対し厚さ方向Ｄ４の一方側に位置している。固定部５０は、一対の側部３２Ａ，３２Ｂのうちの一方であって一方側に位置した側部３２Ａに照明装置４０を固定している。固定部５０は、ナット５１と、ボルト５２と、回り止め部５４とを有する。ナット５１は、一方の側部３２Ａの凹部３２ｅに収容されている。ボルト５２は、ナット５１とによって照明装置４０を一方の側部３２Ａに固定している。回り止め部５４は、ボルト５２とは別であり、一方の側部３２Ａに対するナット５１の回り止めを行なう。
【００３３】
このような構成によれば、回り止め部５４によって一方の側部３２Ａに対するナット５１の回り止めを行なうことができるので、照明装置４０の取り付け作業や取り外し作業がしやすい。
【００３４】
また、本実施形態では、側部３２Ａ，３２Ｂは、厚さ方向Ｄ４に互いに離間した一対の側壁３２ａ，３２ｂと、一対の側壁３２ａ，３２ｂのそれぞれの第２の方向Ｄ２の端部３２ａａ，３２ｂａを接続し、一対の側壁３２ａ，３２ｂとによって凹部３２ｅを形成した接続壁３２ｃとを有する。照明装置４０は、一方の側部３２Ａの接続壁３２ｃの第２の方向Ｄ２側に位置している。ボルト５２は、一方の側部３２Ａの接続壁３２ｃにおける前記第２の方向Ｄ２側に位置した頭部５２ａと、頭部５２ａから第１の方向Ｄ１に延び一方の側部３２Ａの接続壁３２ｃを貫通しナット５１と結合された軸部５２ｂとを有する。
【００３５】
このような構成によれば、照明装置４０は、一方の側部３２Ａの接続壁３２ｃの第２の方向Ｄ２側（すなわち、側壁３２ｂと反対の外側）に位置しているので、照明装置４０によって欄干パネル３を照明しやすい。
【００３６】
また、本実施形態では、回り止め部５４は、ナット５１に設けられ一方の側部３２Ａの接続壁３２ｃを挟んだ一対の挟み部５１ｂ，５１ｃを有する。
【００３７】
このような構成によれば、一対の挟み部５１ｂ，５１ｃがナット５１に設けられているので、乗客コンベア１の構成が複雑化するのが抑制されやすい。
【００３８】
また、本実施形態では、照明装置４０は、一方の側部３２Ａの接続壁３２ｃの第２の方向Ｄ２側に位置し当該接続壁３２ｃと頭部５２ａとに挟まれた取付壁４２ａと、取付壁４２ａにおける欄干パネル３とは反対側の端部４２ａａから第１の方向Ｄ１に突出し一方の側部３２Ａと取付壁４２ａとの間の挟み部５１ｃを覆った突出部４２ｂとを有する。
【００３９】
このような構成によれば、突出部４２ｂによって、一方の側部３２Ａと取付壁４２ａとの間の挟み部５１ｃが覆われているので、挟み部５１ｂ，５１ｃが外部から見えにくい。よって、乗客コンベア１の美観を向上させやすい。
【００４０】
また、本実施形態では、頭部５２ａの厚さは、接続壁３２ｃの厚さよりも薄い。
【００４１】
このような構成によれば、固定部５０の小型化がしやすい。
【００４２】
（第２の実施形態）
次に，第２の実施形態を説明する。図３は、第２の実施形態の乗客コンベアの断面図である。図４は、第２の実施形態の乗客コンベアにおける回り止め部を示す図である。
【００４３】
図３に示すように、本実施形態は、固定部１５０が、第１の実施形態のナット５１および回り止め部５４に替えてナット１５１および回り止め部１５４を有する点が、第１の実施形態と異なる。
【００４４】
ナット１５１は、筒部５１ａを有するが、一対の挟み部５１ｂ，５１ｃは有さない。ナット１５１は、板ナットとも称される。
【００４５】
図３および図４に示すように、回り止め部１５４は、ナット１５１の回り止めを行なう回り止め部材１５５を有する。回り止め部材１５５は、板状の第１の部分５４ａと、板状の第２の部分５４ｂとを有する。第１の部分５４ａは、溶接等によってナット１５１が固定され一方の側部３２Ａの接続壁３２ｃに重ねられている。第２の部分５４ｂは、第１の部分５４ａから第１の方向Ｄ１に延び一方の側部３２Ａの側壁３２ａ，３２ｂに重ねられている。
【００４６】
また、ボルト５２と取付壁４２ａとの間には、平座金１６０が設けられている。また、本実施形態でも、第１の実施形態と同様に、頭部５２ａの厚さは、接続壁３２ｃの厚さよりも薄い。
【００４７】
上記構成の乗客コンベア１の組み立てにおいては、ナット５１にボルト５２が結合される前に、ナット５１が回り止め部５４の回り止め部材１５５に固定されている。したがって、照明装置４０を欄干フレーム３０に取り付ける取付け方法において、ボルト５２をナット５１に結合させる際に、例えば、作業員が回り止め部材１５５の第２の部分を手で押さえると、回り止め部材１５５がナット５１の回転を阻止する。また、照明装置４０の取り外し（取り外し方法）の際も、同様に、作業員が回り止め部材１５５の第２の部分を手で押さえると、回り止め部材１５５がナット５１の回転を阻止する。なお、回り止め部材１５５は、側部３２Ａに固定されていてもよい。
【００４８】
以上のように、本実施形態では、回り止め部５４は、ナット５１が固定され一方の側部３２Ａの接続壁３２ｃに重ねられた第１の部分５４ａと、第１の部分５４ａから第１の方向Ｄ１に延び一方の側部３２Ａの側壁３２ｂに重ねられた第２の部分５４ｂとを有する。
【００４９】
このような構成によれば、例えば、第２の部分５４ｂを押さえることにより、ナット５１の回転を阻止することができる。
【００５０】
上記各実施形態によれば、凹部３２ｅが設けられた一対の側部３２Ａ，３２Ｂを有した欄干フレーム３０に対する照明装置４０の取り付け作業や取り外し作業がしやすい新規な構成の乗客コンベア１が得られる。
【００５１】
なお、上記各実施形態では、照明装置４０が欄干パネル３の側面３ａ側に位置した例が示されたが、これに限定されない。例えば、照明装置４０は、欄干パネル３の側面３ｂ側に位置していてもよい。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…乗客コンベア、３…欄干パネル、３ｄ…縁部、４…移動手すり、３０…欄干フレーム、３１…接続部、３２Ａ…側部、３２Ｂ…側部、３２ａ…側壁、３２ｂ…側壁、３２ｃ…接続壁、３２ｅ…凹部、４０…照明装置、４２ａ…取付壁、４２ａａ…端部、４２ｂ…突出部、５０，１５０…固定部、５１，１５１…ナット、５１ｂ…挟み部、５１ｃ…挟み部、５２…ボルト、５２ａ…頭部、５２ｂ…軸部、５４，１５４…回り止め部、５４ａ…第１の部分、５４ｂ…第２の部分。
【要約】
【課題】凹部が設けられた一対の側部を有した欄干フレームに対する照明装置の取り付け作業や取り外し作業がしやすい乗客コンベアを得る。
【解決手段】実施形態の乗客コンベアは、移動手すりと、欄干パネルと、欄干フレームと、照明装置と、固定部とを備える。欄干フレームは、欄干パネルの厚さ方向と直交し縁部から移動手すりに向かう第１の方向に開放された凹部がそれぞれに設けられた一対の側部を有する。照明装置は、欄干パネルに対し厚さ方向の一方側に位置している。固定部は、一対の側部のうちの一方であって一方側に位置した側部に照明装置を固定している。固定部は、一方の側部の凹部に収容されたナットと、ナットとによって照明装置を一方の側部に固定したボルトと、ボルトとは別であり、一方の側部に対するナットの回り止めを行なう回り止め部とを有する。
【選択図】図２【図１】
0006833969.tif 000002
【図２】
0006833969.tif 000003
【図３】
0006833969.tif 000004
【図４】
0006833969.tif 000005